【事件の表示】
　特許第６５８５０２５号発明「パーソナルビデオレコーダ機能を備えた双方向番組ガイド・システム及び方法」の特許異議申立事件について、次のとおり決定する。
【結　論】
　特許第６５８５０２５号の請求項１ないし２０に係る特許を維持する。
【理　由】
第１　手続の経緯
　特許第６５８５０２５号の請求項１〜２０に係る特許についての出願は、２００２年（平成１４年）２月２１日（パリ条約による優先権主張２００１年２月２１日、米国、２００１年２月２７日、米国、２００１年４月１８日、米国、２００１年５月１４日、米国、２００１年６月７日、米国、２００１年６月２８日、米国）を国際出願日とする特願２００２−５６８８３３号の一部を数次の分割を経て平成２８年１２月２７日に新たな特許出願としたものであって、令和元年９月１３日にその特許権の設定登録がされ、令和元年１０月２日に特許掲載公報が発行された。その特許についての本件特許異議の申立ての経緯は、次のとおりである。
　　
　令和２年　４月　２日：特許異議申立人による特許異議の申立て
　令和２年　６月　５日：取消理由通知書
　令和２年　９月　８日：特許権者による意見書の提出
　　
第２　特許異議の申立てについて
１　本件発明
　特許第６５８５０２５号の請求項１〜２０に係る特許発明（以下「本件発明１」〜「本件発明２０」という。）は、それぞれ、その特許請求の範囲の請求項１〜２０に記載された次の事項により特定されるとおりのものである。
　ただし、（１Ａ）〜（２０Ｂ）は当審で付与した。以下各構成要件を「構成要件１Ａ」〜「構成要件２０Ｂ」という。
　　
（本件発明１）
（１Ａ）番組をバッファするためのシステムであって、前記システムは、
（１Ｂ）番組をバッファするように構成されたメモリと、
（１Ｃ）制御回路と
　を備え、
（１Ｃ）前記制御回路は、
（１Ｃ-1）複数のユーザがアクセス可能なリモート・サーバから現在受信されている第１の番組を前記メモリ内にバッファすることと、
（１Ｃ-2）第２の番組を受信するための第１のユーザリクエストを受信することと、
（１Ｃ-3）前記第１のユーザリクエストに基づいて、前記第２の番組を受信し、前記第１の番組と並列に前記第２の番組を前記メモリ内にバッファすることと、
（１Ｃ-4）前記第１の番組および前記第２の番組をバッファしている間において、
（１Ｃ-4-1）番組一覧表を見るための番組ガイドに入るための第２のユーザリクエストを受信すること、
（１Ｃ-4-2）前記第２のユーザリクエストを受信したことに応答して、一時点において前記第２の番組の再生を自動的に一時停止すること、
（１Ｃ-4-3）前記番組ガイドから出るための第３のユーザリクエストを受信すること、および、
（１Ｃ-4-4）前記第３のユーザリクエストを受信したことに応答して、前記バッファされた第２の番組を読み出すことによって、前記第２の番組の再生を前記一時点から自動的に再開すること
（１Ｃ）を行うことと
を実行するように構成されている、
（１Ａ）システム。
（本件発明２)
（２Ａ）前記第２の番組を受信するための第１のユーザリクエストは、同調リクエストである、
（２Ｂ）請求項１に記載のシステム。
(本件発明３)
（３Ａ）前記第１の番組をバッファすることは、前記第１の番組の以前に受信された部分を記憶することを含む、
（３Ｂ）請求項１に記載のシステム。
（本件発明４)
（４Ａ）前記制御回路は、さらに、
　前記第１の番組をバッファするための第１のストレージ・スペースを割り当てることと、
　前記第２の番組をバッファするための第２のストレージ・スペースを割り当てることと
を実行するように構成されている、
（４Ｂ）請求項１に記載のシステム。
（本件発明５)
（５Ａ）前記第１のストレージ・スペースおよび前記第２のストレージ・スペースは、パーソナルビデオレコーダ上にあり、前記パーソナルビデオレコーダは、ユーザ装置上に含まれている、
（５Ｂ）請求項４に記載のシステム。
（本件発明６）
（６Ａ）前記第１のストレージ・スペースおよび前記第２のストレージ・スペースは、前記リモート・サーバ上にある、
（６Ｂ）請求項４に記載のシステム。
（本件発明７）
（７Ａ）前記制御回路は、さらに、前記第１の番組をバッファするための前記第１のストレージ・スペースにストレージ・スペース・サイズを割り当てるように構成されており、前記ストレージ・スペース・サイズは、前記第１の番組において残っている時間に基づいて決定される、
（７Ｂ）請求項４に記載のシステム。
（本件発明８）
（８Ａ）前記制御回路は、さらに、
　前記第２の番組が前記第１の番組であることを決定することと、
　前記第２のストレージ・スペースを前記第１のストレージ・スペースと結合することと
　を実行するように構成されている、
（８Ｂ）請求項４に記載のシステム。
（本件発明９）
（９Ａ）前記制御回路は、さらに、
　前記第２の番組が前記第１の番組であることを決定することと、
　前記第２の番組を前記第１のストレージ・スペースにバッファすることと
　を実行するように構成されている、
（９Ｂ）請求項４に記載のシステム。
（本件発明１０）
（１０Ａ）前記制御回路は、さらに、
　前記ユーザが前記第２の番組の再生位置にアクセスすることを可能にする双方向インジケータを表示のために生成するように構成されている、
（１０Ｂ）請求項１に記載のシステム。
（本件発明１１）
（１１Ａ）番組をバッファするための方法であって、前記方法は、
（１１Ｂ）複数のユーザがアクセス可能なリモート・サーバから現在受信されている第１の番組をメモリ内にバッファすることと、
（１１Ｃ）第２の番組を受信するための第１のユーザリクエストを受信することと、
（１１Ｄ）前記第１のユーザリクエストに基づいて、前記第２の番組を受信し、前記第１の番組のバッファリングと並列に前記第２の番組を前記メモリ内にバッファすることと、
（１１Ｅ）前記第１の番組および前記第２の番組をバッファしている間において、
（１１Ｅ-1）番組一覧表を見るための番組ガイドに入るための第２のユーザリクエストを受信すること、
（１１Ｅ-2）前記第２のユーザリクエストを受信したことに応答して、一時点において前記第２の番組の再生を自動的に一時停止すること、
（１１Ｅ-3）前記番組ガイドから出るための第３のユーザリクエストを受信すること、および、
（１１Ｅ-4）前記第３のユーザリクエストを受信したことに応答して、前記バッファされた第２の番組を読み出すことによって、前記第２の番組の再生を前記一時点から自動的に再開すること
（１１Ｅ）を行うことと
（１１Ａ）を含む、方法。
（本件発明１２）
（１２Ａ）前記第２の番組を受信するための第１のユーザリクエストは、同調リクエストである、
（１２Ｂ）請求項１１に記載の方法。
（本件発明１３）
（１３Ａ）前記第１の番組をバッファすることは、前記第１の番組の以前に表示された部分を記憶することを含む、
（１３Ｂ）請求項１１に記載の方法。
（本件発明１４）
（１４Ａ）前記第１の番組をバッファするための第１のストレージ・スペースを割り当てることと、
　前記第２の番組をバッファするための第２のストレージ・スペースを割り当てることと
　をさらに含む、
（１４Ｂ）請求項１１に記載の方法。
（本件発明１５）
（１５Ａ）前記第１のストレージ・スペースおよび前記第２のストレージ・スペースは、パーソナルビデオレコーダ上にあり、前記パーソナルビデオレコーダは、ユーザ装置上に含まれている、
（１５Ｂ）請求項１４に記載の方法。
（本件発明１６）
（１６Ａ）前記第１のストレージ・スペースおよび前記第２のストレージ・スペースは、前記リモート・サーバ上にある、
（１６Ｂ）請求項１４に記載の方法。
（本件発明１７）
（１７Ａ）前記第１の番組をバッファするための前記第１のストレージ・スペースにストレージ・スペース・サイズを割り当てることをさらに含み、前記ストレージ・スペース・サイズは、前記第１の番組において残っている時間に基づいて決定される、
（１７Ｂ）請求項１４に記載の方法。
（本件発明１８）
（１８Ａ）前記第２の番組が前記第１の番組であることを決定することと、
　前記第２のストレージ・スペースを前記第１のストレージ・スペースと結合することと
　をさらに含む、
（１８Ｂ）請求項１４に記載の方法。
　
（本件発明１９）
（１９Ａ）前記第２の番組が前記第１の番組であることを決定することと、
　前記第２の番組を前記第１のストレージ・スペースにバッファすることと
　をさらに含む、
（１９Ｂ）請求項１４に記載の方法。
（本件発明２０）
（２０Ａ）前記ユーザが前記第２の番組の再生位置にアクセスすることを可能にする双方向インジケータを表示のために生成することをさらに含む、
（２０Ｂ）請求項１１に記載の方法。
　　
２　取消理由の概要
　本件発明１〜２０に対して令和２年６月５日付けで特許権者に通知した取消理由の要旨は、次のとおりである。
　　
Ａ（明確性）
　この出願は、特許請求の範囲の記載が下記の点で、特許法第３６条第６項第２号に規定する要件を満たしていない。
Ｂ（サポート要件）
　この出願は、特許請求の範囲の記載が下記の点で、特許法第３６条第６項第１号に規定する要件を満たしていない。
Ｃ（進歩性）
　この出願の請求項１〜２０に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　　記
●理由Ａ、Ｂについて
（１）本件発明３について
　本件発明３における
「前記第１の番組をバッファすることは、前記第１の番組の以前に受信された部分を記憶することを含む」
が明確でないから、本件発明３は明確でなく、発明詳細に記載されたものでもない。
　
（２）本件発明８について
　本件発明８における
「前記第２の番組が前記第１の番組であることを決定することと、
　前記第２のストレージ・スペースを前記第１のストレージ・スペースと結合することと
　を実行するように構成されている」
が明確でないから、本件発明８は明確でなく、発明詳細に記載されたものでもない。
　
（３）本件発明９について
　本件発明９における
「前記第２の番組が前記第１の番組であることを決定することと、
　前記第２の番組を前記第１のストレージ・スペースにバッファすることと
　を実行するように構成されている」
が明確でないから、本件発明９は明確でなく、発明詳細に記載されたものでもない。
　
（４）本件発明１３について
　本件発明１３における
「前記第１の番組をバッファすることは、前記第１の番組の以前に表示された部分を記憶することを含む」
が明確でないから、本件発明１３は明確でなく、発明詳細に記載されたものでもない。
　
（５）本件発明１８について
　本件発明１８における
「前記第２の番組が前記第１の番組であることを決定することと、
　前記第２のストレージ・スペースを前記第１のストレージ・スペースと結合することと
　をさらに含む」
が明確でないから、本件発明１８は明確でなく、発明詳細に記載されたものでもない。
　
（６）本件発明１９について
　本件発明１９における
「前記第２の番組が前記第１の番組であることを決定することと、
　前記第２の番組を前記第１のストレージ・スペースにバッファすることと
　をさらに含む」
が明確でないから、本件発明１９は明確でなく、発明詳細に記載されたものでもない。
　
●理由Ｃについて
〈引用文献等一覧〉
　甲第１号証：特開平６−２４５１５７号公報
　甲第２号証：特開平１１−１７７９６２号公報
　甲第３号証：特開２０００−２９５５５８号公報
　　
　以下、甲第１号証〜甲第３号証を「甲１」〜「甲３」という。
　　
３　当審の判断
（１）理由Ａ、Ｂについて
ア　本件発明３及び本件発明１３について
　本件発明３が引用する請求項１に記載のシステムは、「現在受信されている第１の番組を前記メモリ内にバッファする」（構成要件１Ｃ-1）ものであり、本件発明３の「前記第１の番組をバッファすることは、前記第１の番組の以前に受信された部分を記憶することを含む」は、第１の番組について、以前に受信された部分を記憶することを規定しているものである。
　「第１の番組」について、現在受信されている第１の番組をバッファすること及び第１番組の以前に受信された部分を記憶することは、普通に理解でき、明確である。
　また、本件特許の発明の詳細な説明の段落００３０には、
「現在の番組についてのバッファは、ユーザがその番組を録画するように選択したとき、録画の一部として用いることができる。
バッファされている番組
バッファされたその番組の以前の部分
と記載されており、本件発明３は、発明の詳細な説明に記載されていると認められる。
　本件発明１３も同様である。
　したがって、本件発明３及び本件発明１３は、明確であり、発明の詳細な説明に記載されたものである。
　　
イ　本件発明８及び本件発明１８について
　本件発明８の
「前記第２の番組が前記第１の番組であることを決定することと、
　前記第２のストレージ・スペースを前記第１のストレージ・スペースと結合することと
　を実行するように構成されている」
の文言自体は明確であり、本件発明８は明確である。
　また、本件特許の発明の詳細な説明の段落０３２８には、「必要に応じて、同じ番組に関する別々のバッファが１つのバッファに結合されてもよい。」と記載され、同段落０３３３には、「ステップ７３０２において、ユーザは、チャンネルを変えて、異なる番組を見ることができる。ステップ７３０４において、複数のチューナに２つの番組を同時にバッファさせることによって、番組は並列的にバッファされる。」と記載されており、また、同じ番組を別のチャンネルで放送されることも想定されるから、本件発明８は、発明の詳細な説明に記載されているといえる。
　本件発明１８も同様である。
　したがって、本件発明８及び本件発明１８は、明確であり、発明の詳細な説明に記載されたものである。
　
ウ　本件発明９及び本件発明１９について
　本件発明９の
「前記第２の番組が前記第１の番組であることを決定することと、
　前記第２の番組を前記第１のストレージ・スペースにバッファすることと
　を実行するように構成されている」
の文言自体は明確であり、本件発明９は明確である。
　また、本件特許の発明の詳細な説明の段落０３２８には、「バッファが既に存在する番組をユーザが再び見始めたときには、本双方向テレビ・アプリケーションは新しいバッファを作成しない。本双方向テレビ・アプリケーションは、その番組を単に現存するバッファに記憶する。」と記載され、同段落０３３３には、「ステップ７３０２において、ユーザは、チャンネルを変えて、異なる番組を見ることができる。ステップ７３０４において、複数のチューナに２つの番組を同時にバッファさせることによって、番組は並列的にバッファされる。」と記載されており、本件発明９は、発明の詳細な説明に記載されているといえる。
　本件発明１９も同様である。
　したがって、本件発明９及び本件発明１９は、明確であり、発明の詳細な説明に記載されたものである。
　
（２）理由Ｃについて
ア　甲各号証の記載事項及び甲各号証に記載された発明
　
ア−１　甲１
（ア）甲１の記載事項
　
　　　【０００１】
　　【産業上の利用分野】
　本発明は映像および音声情報を処理するテレビ受像機および
映像音響システム
　
　　　【００２０】
　　【課題を解決するための手段】
　本発明のテレビ受像機あるいは映像音響システムは、
　放送された番組の映像および音響信号を含むテレビ信号を受信するテレビ受信手段（２２）と、
　テレビ信号の記録と再生を同時にかつ独立に行ない得る記録再生手段（３）と、
　再生されたテレビ信号の映像信号により表わされる映像を表示する映像表示手段（２４、２５）と、
　再生されたテレビ信号の音声信号により表わされる音声を出力する音声出力手段（２６、２７ａ、２７ｂ）と、
　上記記録再生装置による再生の停止および再開を制御するための制御入力手段（２３）と
　を備えたものである。
　　　【００２１】
　記録再生装置に、常時は記録後直ちにあるいは予め定められた時間遅れで再生を行なわせ、制御入力手段（２３）の操作により再生の態様の変更が要求された後は、制御入力手段（２３）の操作に従って再生を行なわせるための制御手段（２）を設けることが望ましい。
　　　【００２２】
　また、テレビ受信手段が二つ以上のチャンネルを同時に選択できるものであるのが望ましく、また記録再生装置が２つ以上のチャンネルのテレビ信号を同時の記録できるものであるのが望ましい。
　　　【００２３】
　　【作用】
　上記のテレビ装置や
映像音響システム
放送された番組の進行を使用者の都合に併せて任意の時間シフトさせるための一時的メモリなしバッファとして用いることができる
　　　【００２４】
　　【実施例】
実施例１
　図５は、本発明の一実施例のテレビ受像機を示す。図示の如く、このテレビ受像機は、記録処理回路１と、
制御回路
記録再生装置
テレビチューナ
操作部
備え
　
　　　【００２６】
　本実施例で用いる制御回路２は、
記録再生装置
を第１のモード（追従再生モード）と第２のモード（非追従再生モード）のいずれかで再生動作させることができ
　　　【００２７】
　
追従再生モードにおいては、記録したばかりのテレビ信号の再生を行なう
操作部
の操作により再生の態様の変更が要求された後は、操作部の操作に従って再生を行なうよう構成することができ
再生の停止、再開、
が含まれ
　　　【００３０】
　
操作部
として
リモコン
　
　　　【００３９】
　放送されたテレビ番組はアンテナ２１およびチューナ２２で受信される。
チューナ
は、操作部
の制御キーを用いて選択されたチャンネルのテレビ信号を選択する
　
　　　【００４２】
　テレビ番組を見ていた視聴者が、用事のため、例えば電話を受けるため、テレ受像機から離れなければならない場合を想定しよう。説明を簡単にするため、操作部２３が図６に示すリモコン２８で構成されていると仮定する。
テレビ受像機から離れる前に、視聴者はリモコン
の「TV-PAUSE」キーを押す
これにより、番組の進行を止めることができる
番組の再開を希望するときには、再び「TV-PAUSE」キーを押す
と、番組の再生が再開される
この再生は、番組の進行を止めた箇所から始まる
　
　　　【００４６】
　記録と再生を同時に行ない得る上記実施例のテレビ受像機は下記の様な利点を持つ。例えば、
一時停止機能
　上記の実施例では、記録光ヘッドおよび再生光ヘッドは図２に示すように対向して配置されている。しかし、これとは異なる配置であっても良い。また記録再生装置３として、書換を容易にするための消去ヘッド等を備えたものであっても良い。
　
　　　【００５１】
実施例３
　図８は本発明の他の実施例を示す。図７と同じ符号は、同一または対応する回路または部材を示す。図７と同様、図５のアンテナ２１、映像回路２４、ＣＲＴ２５、音声回路２６、スピーカ２７ａおよび２７ｂ、制御回路２および操作部２３は省略されている。制御回路２からの制御線も省略されている。
　　　【００５２】
　本実施例の
チューナ
は複数のチャンネルのテレビ信号（
複数の番組）を選択し、
　　　【００５３】
　本実施例の
記録再生装置
は２チャンネルのテレビ信号を記録する
　　　【００５４】
　切換器３２ａはチューナ２２からの出力Vin1およびVin2ならびに再生処理回路６の出力Voutの何れかを選択して映像回路２４に出力する。切換器３２ｂはチューナ２２からの出力Ain1およびAin2ならびに再生処理回路６の出力Aoutの何れかを選択して音声回路２６に出力する。切換器３２ａおよび３２ｂは
制御回路
に制御される
　
　　　【００５６】
　本実施例の記録再生装置３は図９に示すような構成のものである。図示のようにこの記録再生装置は図２の示すのと同様の部材（同じ符号で示されている）を備えている。図示のように、部材７〜１３の他に、第２の記録増幅器１０７および第２の記録光ヘッド１０８が設けられている。これらは、記録増幅器７および記録光ヘッド８と同様である。二つの記録増幅器７および１０７、ならびに二つの記録光ヘッド８および１０８を有するので、記録処理回路１ａおよび１ｂからの二つの記録信号REC1およびREC2を同時に記録することができる。再生光ヘッド１１は記録光ヘッド８および１０８で
記録された信号の再生
　　　【００５７】
　再生信号PBは再生処理回路６に供給される。再生処理回路６はこれに基づき映像および音声信号VoutおよびAoutを発生する。
　　　【００５８】
　本実施例によれば、
二つのチャンネルのテレビ信号を同時に記録する
　
　　　【００６３】
実施例５
　図１１は本発明の他の実施例の映像音響システムを示す。この映像音響システムは、記録再生装置を内蔵したテレビ受像機のほか、テレビ電話機３０ａと切換器３２ａおよび３２ｂとを備えている。図５と同じ符号は、同一または対応する回路または部材を示す。図５のアンテナ２１、映像回路２４、ＣＲＴ２５、音声回路２６およびスピーカ２７ａおよび２７ｂは省略されている。制御回路２からの制御線も省略されている。テレビ受像機を構成する回路は鎖線２９で示されている。テレビ電話機３０ａは電話回線３１を介して他のテレビ電話機３０ｂに接続可能である。
　　　【００６４】
　切換器３２ａは再生処理回路６の出力Voutまたは電話機３０ａの出力を選択して、映像回路２４に供給する。切換器３２ｂは再生処理回路６の出力Aoutまたは電話機３０ａの出力を選択して、音声回路２６に供給する。切換器３２ａおよび３２ｂは、操作部２３における手入力に応じて動作する
制御回路
により制御される
　
　　　【００６６】
　図１２は本実施例で用いられるリモコン２８の他の例を示す。この
リモコン
は
「TELE」キーを備え
　　　【００６７】
　他の電話機３０ｂから電話の呼出しがあると、電話機３０ａの呼出しの鈴が鳴る。また、「呼び出し」および「発呼者の識別情報」を示す信号が制御回路２に送られる。制御回路２は発呼者の識別情報を映像回路２４に送る。映像回路２６はこの識別情報を表示する。この表示は記録再生装置３で再生されている番組の映像に重ね合わせた形（スーパーインポーズ)で行なわれる。発呼者の識別情報がＣＲＴ２５に表示させるので、その識別情報に基づいて電話を受けるかどうかの判断をすることができる。
　　　【００６８】
　
電話を受けるには、リモコン
の「TELE」キーを押す
と、
記録再生装置
は
一時停止の機能を実行
通話が終
「TELE」キーを押す
通話の間記録再生装置
に記録されていた信号の再生が開始される
　　　【００６９】
　上記のように、実施例１の内蔵動画
記録再生装置
を有するテレビ受像機
に電話機
を組合せることにより、
番組の記録や電話による通話の間番組の進行を停止させる機能を持つ
　
　　　【００９４】
実施例９
　図１８は、本発明の他の実施例を示す。この実施例では、
記録再生装置
として半導体メモリを備えたものが用いられ
　入力映像信号Vinおよび入力音声信号Ainは記録処理回路１で、図３に示された、光映像ディスクに用いられるものと同じ信号スペクトルを有する記録信号REC（パルス変調アナログ信号）に変換される。記録信号RECはＡＤＣ１４でディジタルデータに変換され、３ステートバッファ１５を介して半導体メモリ１６に書込まれる。メモリ制御回路１７は例えば図１９に示される制御信号を、３ステートバッファ１５と、半導体メモリ１６と、アドレス選択回路１８と、データラッチ１９とに供給する。半導体メモリ１６への書込みおよび読出しは記録再生ディスク装置への記録および再生に対応する。
　
　　　【００９７】
変形例
　実施例１の変形として説明した実施例２〜４と同様の変形を実施例５〜９にも適用することができる。実施例２〜４の何れかの教示を実施例５〜９の何れかに組込むに当り、実施例５〜９の切換器３２ａおよび３２ｂは、チューナ２２の出力の選択にも用いることができる。
　
（イ）甲１発明
　段落００９７によると、実施例１の変形として説明した実施例２〜４と同様の変形を実施例５〜９にも適用することができるから、実施例５に実施例３を適用し、記録再生装置として半導体メモリを備えたもの（実施例９）を甲第１号証に記載された発明（以下「甲１発明」という。）として認定する。
　また、段落００５３、００６４によると、実施例３、５の動作は、制御回路により行われている。
　構成を区別するために符号１ａ〜１ｆを付与した。以下各構成を「構成１ａ」〜「構成１ｆ」という。また、各構成の末尾に対応する甲１の段落番号を付した。
　
（甲１発明）
（１ａ）映像音響システム［0001,0069］であって、前記映像音響システムは、
（１ｂ）チューナと、［0024］
（１ｃ）半導体メモリを備えた記録再生装置と、［0024,0094］
（１ｄ）前記チューナと前記記録再生装置を制御する制御回路と、［0024,0053,0064］
（１ｅ）操作部とを備え、［0024］
（１ｅ-1）前記操作部としては、リモコンが用いられ、［0030］
（１ｂ-1）前記チューナは、操作部の制御キーを用いて選択された複数のチャンネルのテレビ信号（複数の番組）を選択し、［0039,0052］
（１ｃ-1）前記記録再生装置は２チャンネルのテレビ信号を同時に記録し、［0053,0058］記録された信号は再生され、［0056］
（１ｆ）前記リモコンは、「TV-PAUSE」キー及び「TELE」キーを備え、［0042,0066］
（１ｄ）制御回路は、
（１ｄ-1）記録再生装置を第１のモード（追従再生モード）と第２のモード（非追従再生モード）のいずれかで再生動作させることができ、[0026]
（１ｄ-2）追従再生モードにおいては、記録したばかりのテレビ信号の再生を行ない、[0027]
（１ｄ-3）操作部の操作により再生の態様の変更が要求された後は、操作部の操作に従って再生を行なうよう構成することができ、再生の停止、再開、が含まれ、[0027]
（１ｄ-4）「TV-PAUSE」キーを押すことにより、番組の進行を止めることができ、番組の再開を希望するときには、再び「TV-PAUSE」キーを押すと、番組の再生が再開され、この再生は、番組の進行を止めた箇所から始まり、［0042］
（１ｄ-5）電話を受けるには、リモコンの「TELE」キーを押すと、記録再生装置は一時停止の機能を実行し、通話が終り、「TELE」キーを押すと、通話の間前記記録再生装置に記録されていた信号の再生が開始され、［0068］
（１ｄ-6）記録再生装置を有するテレビ受像機に電話機を組合せることにより、番組の記録や電話による通話の間番組の進行を停止させる機能を持つ、[0069]
（１ａ）映像音響システム。
　
ア−２　甲２
（ア）  甲２の記載事項
　　　【００４４】
　（第１の実施の形態）
　本実施形態は、放送中のストリーム情報の視聴（例えば映画の鑑賞等）を利用者が一時中断した場合でも、中断時以降に放送されたストリーム情報をメモリに記録（記憶）するとともに、記録と再生（記憶と読み出し）を並行的に行うことにより、ストリーム情報が終わる前（例えば番組終了前）の記録中の状態であっても随時、視聴を再開・続行できるようにした、追いかけ再生の機能を提供するものである。
　　　【００４５】
　図１に本実施形態に係る情報再生システムの構成を示す。
　本情報再生システムは、通常再生機能に加えて追いかけ再生機能を提供するサーバ１０と、このサーバ１０からのストリーム情報の提供を受ける端末２０とからなる。
　
【図１】
　
　　　【０１４５】
　ここで、利用者は、溯り再生させたいときに、端末２０にて遡及指示を入力する。
　この遡及指示の方法には、様々なバリエーションが考えられるが、例えば、放送中の番組を鑑賞等している最中に、利用者が図１０に例示するような端末２０のＧＵＩ上の操作画面においてレバー（右端が現在時で左に移動する程過去に溯る（本具体例の場合には左端が３分前であるものとする））をマウス等の所定の入力デバイスを用いて左方向に動かすことによって行う。あるいは、予め遡及時間を溯り最大時間の範囲内で設定しておき、ＧＵＩ上の溯り再生ボタンを押すことによって行うようにしてもよい。もちろん、遡及時間をその時点でバッファＢ０に記憶している時間に固定してもよい。これによって、利用者は希望の時点（本具体例では過去３分間が上限）に溯って映像／音声を確認することができる。
　
【図１０】
　
　
ア−３　甲３
（ア）　甲３の記載事項
　
　　　【０００７】
　本発明は以上の問題を鑑みてなされたものであり、従来の電子番組ガイドの表示や操作体系を拡張して、放送番組と記録番組とを区別なく表示し操作できる電子番組ガイドを備えた番組記録再生装置及び方法並びに番組記録再生プログラムを記録したコンピュータ読み取り可能な記録媒体を提供することを目的とする。
　
　　　【００１２】
　図１は本発明の実施の形態におけるデジタル放送波に対応した番組記録再生装置を実現するハードウェア構成の一例を示している。この図では、実線はデータの流れを、破線は制御の流れを主に示している。
　
　　　【００１７】
　次に本実施の形態における番組記録再生装置の操作部108の一例であるリモートコントローラのボタン配置（本実施例での操作の説明で必要な部分のみ）の一例を図２に示し、各ボタンの機能を本番組記録再生装置の動作モードの概略と共に説明する。
　
　　　【００２０】
　
番組表モード
ＥＰＧ管理部103のＥＰＧ情報に基づき、現在放送中や放送予定の番組に関する番組を表形式に表示
　
　　　【００２２】
　
再生視聴モード
データストレージ104に蓄積されている記録済み番組を再生し視聴するためのモード
　
　　　【００３２】
　次に番組選択カーソル162の操作を中心に、本発明の第１の実施の形態における番組表モードの動作を図１０に示すフローチャートを用いて説明する。
番組表ボタン121の押下により他のモードから番組表モードに移行する
再生視聴モード
放送番組表156
表示する
　
　　　【００３８】
　
番組表ボタン121が押された場合
現在の番組表モードの前モードを
サーチし、前モードが
再生視聴モードなら再生視聴モードに戻る
　
（イ）　甲３技術
　上記（ア）の記載事項から、甲３号証には、以下の技術（以下、「甲３技術」という。）が記載されている。
　
（甲３技術）
　番組記録再生装置において、
　ＥＰＧ管理部103のＥＰＧ情報に基づき、現在放送中や放送予定の番組に関する番組を表形式に表示する番組表モードを備え、[0020]
　操作部108の番組表ボタン121の押下により他のモード（再生視聴モード）から番組表モードに移行し、放送番組表156を表示し、[0032]
　番組表ボタン121が押された場合、現在の番組表モードの前モードをサーチし、前モードが再生視聴モード（データストレージ104に蓄積されている記録済み番組を再生し視聴するためのモード）なら再生視聴モードに戻る [0022,0038]
　技術。
　
イ　本件発明１について
（ア）本件発明１、甲１発明　　
　本件発明１と甲１発明とを対比するにあたり、本件発明１と甲１発明とを再掲する。
　　
（本件発明１）
（１Ａ）番組をバッファするためのシステムであって、前記システムは、
（１Ｂ）番組をバッファするように構成されたメモリと、
（１Ｃ）制御回路と
　を備え、
（１Ｃ）前記制御回路は、
（１Ｃ-1）複数のユーザがアクセス可能なリモート・サーバから現在受信されている第１の番組を前記メモリ内にバッファすることと、
（１Ｃ-2）第２の番組を受信するための第１のユーザリクエストを受信することと、
（１Ｃ-3）前記第１のユーザリクエストに基づいて、前記第２の番組を受信し、前記第１の番組と並列に前記第２の番組を前記メモリ内にバッファすることと、
（１Ｃ-4）前記第１の番組および前記第２の番組をバッファしている間において、
（１Ｃ-4-1）番組一覧表を見るための番組ガイドに入るための第２のユーザリクエストを受信すること、
（１Ｃ-4-2）前記第２のユーザリクエストを受信したことに応答して、一時点において前記第２の番組の再生を自動的に一時停止すること、
（１Ｃ-4-3）前記番組ガイドから出るための第３のユーザリクエストを受信すること、および、
（１Ｃ-4-4）前記第３のユーザリクエストを受信したことに応答して、前記バッファされた第２の番組を読み出すことによって、前記第２の番組の再生を前記一時点から自動的に再開すること
（１Ｃ）を行うことと
を実行するように構成されている、
（１Ａ）システム。
　　
（甲１発明）
（１ａ）映像音響システムであって、前記映像音響システムは、
（１ｂ）チューナと、
（１ｃ）半導体メモリを備えた記録再生装置と、
（１ｄ）前記チューナと前記記録再生装置を制御する制御回路と、
（１ｅ）操作部とを備え、
（１ｅ-1）前記操作部としては、リモコンが用いられ、
（１ｂ-1）前記チューナは、操作部の制御キーを用いて選択された複数のチャンネルのテレビ信号（複数の番組）を選択し、
（１ｃ-1）前記記録再生装置は２チャンネルのテレビ信号を同時に記録し、［0053,0058］記録された信号は再生され、
（１ｆ）前記リモコンは、「TV-PAUSE」キー及び「TELE」キーを備え、
（１ｄ）制御回路は、
（１ｄ-1）記録再生装置を第１のモード（追従再生モード）と第２のモード（非追従再生モード）のいずれかで再生動作させることができ、
（１ｄ-2）追従再生モードにおいては、記録したばかりのテレビ信号の再生を行ない、
（１ｄ-3）操作部の操作により再生の態様の変更が要求された後は、操作部の操作に従って再生を行なうよう構成することができ、再生の停止、再開、が含まれ、
（１ｄ-4）「TV-PAUSE」キーを押すことにより、番組の進行を止めることができ、番組の再開を希望するときには、再び「TV-PAUSE」キーを押すと、番組の再生が再開され、この再生は、番組の進行を止めた箇所から始まり、
（１ｄ-5）電話を受けるには、リモコンの「TELE」キーを押すと、記録再生装置は一時停止の機能を実行し、通話が終り、「TELE」キーを押すと、通話の間前記記録再生装置に記録されていた信号の再生が開始され、
（１ｄ-6）記録再生装置を有するテレビ受像機に電話機を組合せることにより、番組の記録や電話による通話の間番組の進行を停止させる機能を持つ、
（１ａ）映像音響システム。
　　
（イ）対比
　本件発明１と甲１発明とを対比する。
　
（イ−１）構成要件１Ａについて
　甲１発明は、映像音響システムであり、構成１ｃの「半導体メモリを備えた記録再生装置」にテレビ信号（番組）を記録するから、「番組をバッファするためのシステム」といえ、構成１ａは構成要件１Ａと一致する。
（イ−２）構成要件１Ｂについて
　構成１ｃの「半導体メモリを備えた記録再生装置」は、テレビ信号（番組）を記録する（構成１ｃ-1）から、「番組をバッファするように構成されたメモリ」として、構成要件１Ｂと一致する。
（イ−３）構成要件１Ｃについて
　構成１ｄの「制御回路」は、構成要件１Ｃの「制御回路」に相当する。
　
（イ−４）構成要件１Ｃ-1について
　甲１発明は、前記チューナは、操作部の制御キーを用いて選択された複数のチャンネルのテレビ信号（複数の番組）を選択し（構成１ｂ-1）、前記記録再生装置は２チャンネルのテレビ信号を同時に記録（構成１ｃ-1）するものであり、記録再生装置は半導体メモリを備えている（構成１ｃ）。
　２チャンネルのテレビ信号（番組）のうち一方のチャンネルのテレビ信号(番組)は、第１の番組といえるから、甲１発明は、「現在受信されている第１の番組を前記メモリ内にバッファする」点で、本件発明１と共通する。
　しかしながら、「現在受信されている第１の番組」が、本件発明１においては、「複数のユーザがアクセス可能なリモート・サーバから」受信されているものであるのに対し、甲１発明は、チューナで受信されるものであるから、放送局から受信されているものである点で相違する。
（イ−５）構成要件１Ｃ-2について
　上記（イ−４）のとおり、２チャンネルのテレビ信号（番組）のうち一方のチャンネルのテレビ信号（番組）は、第１の番組といえる。そうすると、もう一方のチャンネルのテレビ信号（番組）は、第２の番組といえる。
　チューナが操作部の制御キーを用いて選択されたチャンネルのテレビ信号を選択する（構成１ｂ-1）ことにおいて、制御キーはユーザが操作するものであるから、当該操作はユーザリクエストといえ、第１のユーザリクエストともいえる。甲１発明においては、制御回路がチューナを制御するから、制御回路が、第２の番組を受信するための第１のユーザリクエストを受信するといえる。
　したがって、甲１発明の制御回路は、「第２の番組を受信するための第１のユーザリクエストを受信する」として、本件発明１と一致する。
（イ−６）構成要件１Ｃ-3について
　上記（イ−５）のとおり、甲１発明の制御回路は、「第２の番組を受信するための第１のユーザリクエストを受信する」として、本件発明１と一致し、甲１発明は、前記チューナは、操作部の制御キーを用いて複数のチャンネルのテレビ信号（複数の番組）を選択し（構成１ｂ-1）、前記記録再生装置は２チャンネルのテレビ信号を同時に記録（構成１ｃ-1）するものであり、記録再生装置は半導体メモリを備えている（構成１ｃ）から、「前記第１のユーザリクエストに基づいて、前記第２の番組を受信し、前記第１の番組と並列に前記第２の番組を前記メモリ内にバッファする」として、本件発明１と一致する。
　
（イ−７）構成要件１Ｃ-4-1について
　構成１ｄ-4の「「TV-PAUSE」キーを押す」こと及び構成１ｄ-5の「「TELE」キーを押す」ことは、構成１ｄの「制御回路」が受信する「第２のユーザリクエスト」といえる。
　また、構成１ｄ-4の「「TV-PAUSE」キーを押す」こと及び構成１ｄ-5の「「TELE」キーを押す」ことは、構成１ｃ-1の動作中に第２の番組を視聴している際においても想定されることであり、構成１ｃ-1の動作中は、「前記第１の番組および前記第２の番組をバッファしている間」といえるから、構成要件１Ｃ-4と一致する。
　
　よって、構成１ｄ-4の「「TV-PAUSE」キーを押す」こと及び構成１ｄ-5の「「TELE」キーを押す」ことは、構成要件１Ｃ-4-1の「第２のユーザリクエストを受信すること」と共通する。
　しかしながら、「第２のユーザリクエスト」が、本件発明１においては、「番組一覧表を見るための番組ガイドに入るための第２のユーザリクエスト」であるのに対し、甲１発明においては、「「TV-PAUSE」キーを押す」こと或いは「「TELE」キーを押す」ことである点で相違する。
（イ−８）構成要件１Ｃ-4-2について
　構成１ｄ-3の「再生の停止」、構成１ｄ-4の「番組の進行を止める」及び構成１ｄ-5の「一時停止の機能を実行し」は、「一時点において番組の再生を自動的に一時停止する」といえるから、
　構成１ｄ-3、構成１ｄ-4及び構成１ｄ-5は、「前記第２のユーザリクエストを受信したことに応答して、一時点において前記第２の番組の再生を自動的に一時停止する」こととして、構成要件１Ｃ-4-2と一致する。
　
（イ−９）構成要件１Ｃ-4-3について
　構成１ｄ-4の「再び「TV-PAUSE」キーを押す」こと及び構成１ｄ-5の「通話が終り、「TELE」キーを押す」ことは、構成１ｄの「制御回路」が受信する「第３のユーザリクエスト」といえる。
　よって、構成１ｄ-4の「再び「TV-PAUSE」キーを押す」こと及び構成１ｄ-5の「通話が終り、「TELE」キーを押す」ことは、構成要件１Ｃ-4-3の「第３のユーザリクエストを受信すること」と共通する。
　しかしながら、「第３のユーザリクエスト」が、本件発明１においては、「前記番組ガイドから出るための第３のユーザリクエスト」であるのに対し、甲１発明においては、「再び「TV-PAUSE」キーを押す」こと或いは「通話が終り、「TELE」キーを押す」ことである点で相違する。
（イ−１０）構成要件１Ｃ-4-4について
　構成１ｄ-3の「再開」、構成１ｄ-4の「番組の再生が再開」及び構成１ｄ-5の「通話の間前記記録再生装置に記録されていた信号の再生が開始」は、「バッファされた番組を読み出すことによって、番組の再生を一時点から自動的に再開する」といえるから、
　構成１ｄ-3、構成１ｄ-4及び構成１ｄ-5は、「前記第３のユーザリクエストを受信したことに応答して、前記バッファされた第２の番組を読み出すことによって、前記第２の番組の再生を前記一時点から自動的に再開すること」として、構成要件１Ｃ-4-4と一致する。
　
（ウ）一致点、相違点
　以上によると、一致点、相違点は次のとおりである。
　
（一致点)
（１Ａ）番組をバッファするためのシステムであって、前記システムは、
（１Ｂ）番組をバッファするように構成されたメモリと、
（１Ｃ）制御回路と
　を備え、
（１Ｃ）前記制御回路は、
（１Ｃ-1’）現在受信されている第１の番組を前記メモリ内にバッファすることと、
（１Ｃ-2）第２の番組を受信するための第１のユーザリクエストを受信することと、
（１Ｃ-3）前記第１のユーザリクエストに基づいて、前記第２の番組を受信し、前記第１の番組と並列に前記第２の番組を前記メモリ内にバッファすることと、
（１Ｃ-4）前記第１の番組および前記第２の番組をバッファしている間において、
（１Ｃ-4-1’）第２のユーザリクエストを受信すること、
（１Ｃ-4-2）前記第２のユーザリクエストを受信したことに応答して、一時点において前記第２の番組の再生を自動的に一時停止すること、
（１Ｃ-4-3’）第３のユーザリクエストを受信すること、および、
（１Ｃ-4-4）前記第３のユーザリクエストを受信したことに応答して、前記バッファされた第２の番組を読み出すことによって、前記第２の番組の再生を前記一時点から自動的に再開すること
（１Ｃ）を行うことと
を実行するように構成されている、
（１Ａ）システム。
　
（相違点１）
　「現在受信されている第１の番組」が、本件発明１においては、「複数のユーザがアクセス可能なリモート・サーバから」受信されているのに対し、甲１発明においては、テレビ信号であるから、放送局から受信するものである点
　
（相違点２）
　第２のユーザリクエスト、第３のユーザリクエストについて、
　本件発明１においては、それぞれ、「番組一覧表を見るための番組ガイドに入るための第２のユーザリクエスト」、「前記番組ガイドから出るための第３のユーザリクエスト」であるのに対し、
　甲１発明においては、それぞれ、「「TV-PAUSE」キーを押す」こと及び「「TELE」キーを押す」こと、「再び「TV-PAUSE」キーを押す」こと及び「通話が終り、「TELE」キーを押す」ことである点
　
（エ）判断
（エ−１）相違点１について
　複数のユーザがアクセス可能なリモート・サーバから番組を受信することは、周知の技術であるあるから、甲１発明において、放送局から番組を受信することに代えて、複数のユーザがアクセス可能なリモート・サーバから番組を受信するようにすることは、当業者が容易に想到し得ることである。
　
（エ−２）相違点２について
　甲３には、上記アのア−３（イ）のとおり甲３技術が記載されている。
　甲３技術の番組表ボタン121は、他のモードから番組表を表示させるため又は他のモードに戻るために押すボタンである。
　一方、甲１発明における「TV-PAUSE」キーは、番組の進行を止めるため又は再開するためのものであり、「TELE」キーは、通話のために一時停止するため又は再開するためのものである。
　そうすると、甲１発明における「TV-PAUSE」キー又は「TELE」キーを押すことによるリクエストによる機能と甲３技術における番組表ボタンを押すことによるリクエストによる機能は異なる機能であるから、甲１発明における「TV-PAUSE」キー又は「TELE」キーを押すことによるリクエストを甲３技術における番組表ボタンを押すことによるリクエストにする理由はない。
　
　さらに、甲２には、番組ガイドを表示することは開示されていないから、甲１発明に甲２に記載された技術を適用しても、甲１発明における「TV-PAUSE」キー又は「TELE」キーを押すことによるリクエストを番組ガイドに入るためのリクエストにすることにならない。
　
　したがって、本件発明１は、甲１発明、甲２に記載された技術、甲３技術に基づいて当業者が容易に想到し得たものではない。
　　
ウ　本件発明２〜１０について
　本件発明２〜１０は、直接又は間接的に本件発明１を引用するから、上記イの本件発明１の理由と同様に、本件発明２〜１０は、甲１発明、甲２に記載された技術、甲３技術に基づいて当業者が容易に想到し得たものではない。
　
エ　本件発明１１
　本件発明１１は、本件発明１のシステムの発明のカテゴリー違いの方法の発明である。
　したがって、本件発明１１は、上記イの本件発明１と同様に、甲１発明、甲２に記載された技術、甲３技術に基づいて当業者が容易に想到し得たものではない。
　　
オ　本件発明１２〜２０
　本件発明１２〜２０は、直接又は間接的に本件発明１１を引用するから、上記エの本件発明１１の理由と同様に、本件発明１２〜２０は、甲１発明、甲２に記載された技術、甲３技術に基づいて当業者が容易に想到し得たものではない。
　　
第３　むすび
　以上のとおりであるから、取消理由通知に記載した取消理由（特許異議申立書に記載した特許異議申立理由）によっては、請求項１〜２０に係る特許を取り消すことはできない。
　また、他に請求項１〜２０に係る特許を取り消すべき理由を発見しない。
　よって、結論のとおり決定する。
【異議決定日】
令和２年１０月１６日（２０２０．１０．１６）